(57)【要約】【課題】  携帯端末が盗難等されたと判定した場合に事後対策として記憶部のデータを消去し、データ漏出等を防止するにすぎず、盗難等の被害が発生するのを未然に防止できなかった。【解決手段】  予防すべき事故に関連する端末状況データ毎に危険度を示す危険コードが対応した危険コードテーブルと、危険コード毎に事故予防内容を示す予防内容データが対応した予防内容テーブルと、予防内容データ毎に予防動作を実行するための指示データが対応した予防指示テーブルとを設け、携帯端末の現状を検知し、検知した現状が端末状況データのいずれかを判定し、判定された端末状況データに基づいて危険コードテーブルから危険コードを特定し、該危険コードに基づいて予防内容テーブルから予防内容データを特定し、該予防内容データに基づいて予防指示テーブルから指示データを特定し、該指示データに基づく予防動作を行う。【選択図】        図１
2007028484.tif 000002
【特許請求の範囲】
【請求項１】
携帯端末において、予防すべき事故に関連する端末状況データ毎に危険度を示す危険コードが対応づけられた危険コードテーブルと、
前記危険コード毎に事故予防内容を示す予防内容データが対応づけられた予防内容テーブルと、
前記予防内容データ毎に予防動作を実行するための指示データが対応づけられた予防指示テーブルと、
携帯端末がおかれている現状を検知する現状検知部と、
前記現状検知部が検知した現状が前記端末状況データのいずれかを判定する端末状況判定部と、
前記判定された端末状況データに基づいて、前記危険コードテーブルから対応する危険コードを特定する危険コード特定部と、
前記危険コード特定部が危険コードを特定すると、該危険コードに基づいて、前記予防内容テーブルから対応する予防内容データを特定する予防内容特定部と、
前記予防内容特定部が予防内容データを特定すると、該予防内容データに基づいて、前記予防指示テーブルから対応する指示データを特定する指示特定部と、
前記指示特定部が指示データを特定すると、該指示データに基づいて対応する作動部を予防作動制御する作動制御部とを備えることを特徴とする携帯端末。
【請求項２】
請求項１記載の携帯端末および管理サーバを備える事故予防システムにおいて、
前記管理サーバは、
端末状況データ毎に更新される少なくとも事故の件数を示す事故件数データが対応づけられた事故履歴テーブルと、
端末状況データ毎に少なくとも、危険コードの設定される設定部を有する状況危険コード関連テーブルと、
前記事故履歴テーブルの事故件数データが更新されると、少なくとも事故件数データに基づいて、前記状況危険コード関連テーブルに危険コードを設定する危険コード設定部と、
前記状況危険コード関連テーブルの端末状況データおよび危険コードに基づいて更新危険コードテーブルを作成するテーブル作成部と、
前記更新テーブル作成部が更新危険コードテーブルを作成すると、前記更新危険コードテーブルを前記携帯端末に送信する通信部とを備え、
前記携帯端末は、
前記危険コードテーブルを受信すると、前記危険コードテーブルを前記更新危険コードテーブルに更新する危険レベル更新部を備えることを特徴とする事故予防システム。
【発明の詳細な説明】
【技術分野】
【０００１】
本発明は、盗難、紛失等の事故を未然に防止するための機能を備える携帯端末および事故予防システムに関し、特に、盗難、紛失等の状況に応じた予防動作を行う携帯端末および事故予防システムに関する。
【背景技術】
【０００２】
盗難、紛失時に記憶部のデータ保護を行い、データ漏出等を防止する携帯端末が知られている。例えば、下記特許文献１には、加速度、振動、傾き変化等を検出するセンサーより取得される特徴値が事前に設定されている閾値を超えると、盗難、紛失等されたと判定し、記憶部に格納されているデータを消去し、データ漏出等を防止する携帯端末が開示されている。
【特許文献１】特開２００２−３２５２８０号公報
【発明の開示】
【発明が解決しようとする課題】
【０００３】
しかしながら、上記した携帯端末には次のような解決すべき課題があった。即ち、携帯端末は、盗難、紛失等されたと判定した場合に、事後対策として記憶部のデータを消去し、データ漏出等を防止できるにすぎず、盗難、紛失等の被害が発生するのを未然に予防することができなかった。
【課題を解決するための手段】
【０００４】
本発明は、以上の点を解決するために、次の構成を採用する。
〈構成１〉
携帯端末において、予防すべき事故に関連する端末状況データ毎に危険度を示す危険コードが対応づけられた危険コードテーブルと、前記危険コード毎に事故予防内容を示す予防内容データが対応づけられた予防内容テーブルと、前記予防内容データ毎に予防動作を実行するための指示データが対応づけられた予防指示テーブルと、携帯端末がおかれている現状を検知する現状検知部と、前記現状検知部が検知した現状が前記端末状況データのいずれかを判定する端末状況判定部と、前記判定された端末状況データに基づいて、前記危険コードテーブルから対応する危険コードを特定する危険コード特定部と、前記危険コード特定部が危険コードを特定すると、該危険コードに基づいて、前記予防内容テーブルから対応する予防内容データを特定する予防内容特定部と、前記予防内容特定部が予防内容データを特定すると、該予防内容データに基づいて、前記予防指示テーブルから対応する指示データを特定する指示特定部と、前記指示特定部が指示データを特定すると、該指示データに基づいて対応する作動部を予防作動制御する作動制御部とを備えることを特徴とする。
〈構成２〉
構成１の携帯端末および管理サーバを備える事故予防システムにおいて、前記管理サーバは、端末状況データ毎に更新される少なくとも事故の件数を示す事故件数データが対応づけられた事故履歴テーブルと、端末状況データ毎に少なくとも、危険コードの設定される設定部を有する状況危険コード関連テーブルと、前記事故履歴テーブルの事故件数データが更新されると、少なくとも事故件数データに基づいて、前記状況危険コード関連テーブルに危険コードを設定する危険コード設定部と、前記状況危険コード関連テーブルの端末状況データおよび危険コードに基づいて更新危険コードテーブルを作成するテーブル作成部と、前記更新テーブル作成部が更新危険コードテーブルを作成すると、前記更新危険コードテーブルを前記携帯端末に送信する通信部とを備え、前記携帯端末は、前記危険コードテーブルを受信すると、前記危険コードテーブルを前記更新危険コードテーブルに更新する危険レベル更新部を備えることを特徴とする。
【発明の効果】
【０００５】
本発明の携帯端末では、予防すべき事故に関連する端末状況データ毎に危険度を示す危険コードが対応した危険コードテーブルと、危険コード毎に事故予防内容を示す予防内容データが対応した予防内容テーブルと、予防内容データ毎に予防動作を実行するための指示データが対応した予防指示テーブルとを設け、携帯端末の現状を検知し、検知した現状が端末状況データのいずれかを判定し、判定された端末状況データに基づいて危険コードテーブルから危険コードを特定し、該危険コードに基づいて予防内容テーブルから予防内容データを特定し、該予防内容データに基づいて予防指示テーブルから指示データを特定し、該指示データに基づく予防動作を行わせるようにしたので、予防すべき事故に関連する状況にある携帯端末のユーザに対して、事前に予防として注意、警告等を行うことができる。従って、ユーザの携帯端末に盗難等の被害が発生するのを未然に防止することができる。
【発明を実施するための最良の形態】
【０００６】
以下、本発明の一実施形態を図を用いて詳細に説明する。
【実施例】
【０００７】
〈実施例の構成〉
図１は、本実施例の事故予防システムを示すブロック構成図である。
【０００８】
図１に示すように、本実施例の事故予防システムは、携帯端末１００、管理サーバ２００および他携帯端末３００から構成されている。
【０００９】
携帯端末１００は、携帯電話等のユーザが所有する端末であり、制御部１、現状検知部２、状況判定部３、危険コード特定部４、予防内容特定部５、指示特定部６、作動制御部７、記憶部８、データ保護部９および危険コード更新部１０を有している。
【００１０】
他携帯端末３００は、ユーザが所有する腕時計等の端末であり、確認信号送信部３０を有している。この他携帯端末３００は、後述するように、携帯端末１００が他携帯端末３００との距離が一定以上離れたのを検出するために、確認信号送信部３０を制御して、定期的に携帯端末１００に対して確認信号を送信する。
【００１１】
管理サーバ２００は、携帯端末１００に通信可能に接続されるサーバであり、制御部２０、テーブル更新部２１、危険コード設定部２２、テーブル作成部２３、通信部２４、記憶部２５、データ保護部２６および退避データ記憶部２７を有している。
【００１２】
携帯端末１００の記憶部８は、ＨＤＤ等のメモリであり、危険コードテーブル、予防内容テーブルおよび予防指示テーブルがそれぞれ格納されている。
【００１３】
危険コードテーブルとは、図２に示すように、予防すべき事故に関連する端末状況データ毎に危険度を示す危険コードが対応づけられたテーブルである。本実施例では、端末状況データとして「電車に乗った」、「騒がしい」、「ユーザ所有の他端末との距離が一定以上離れた」、「ウイルスが見つかった」、「生体認証に失敗した」、「遠隔から明示的にセキュリティ対策が実施された」を示すデータが設定されている。また、危険コードとして、「電車に乗った」に対して「１」、「騒がしい」に対して「２」、「ユーザ所有の他端末との距離が一定以上離れた」に対して「３」、「ウイルスが見つかった」に対して「４」、「生体認証に失敗した」に対して「５」、「遠隔から明示的にセキュリティ対策が実施された」に対して「５」がそれぞれ設定されている。尚、この危険コードは必ずしも危険の大小を意味するものではない。
【００１４】
予防内容テーブルとは、図３に示すように、危険コード毎に事故の予防内容を示す予防内容データが対応づけられたテーブルである。本実施例では、予防内容データとして、危険コード「１」に対して「注意」、危険コード「２」に対して「警告」、危険コード「３」に対して「他端末に警告」、危険コード「４」に対して「警告かつ危険状況通知」、危険コード「５」に対して「データ保護かつ危険状況通知」がそれぞれ設定されている。
【００１５】
予防指示テーブルとは、図４に示すように、予防内容データ毎に、予防すべき事故の予防動作を実行するための指示データが対応づけられたテーブルである。本実施例では、指示データとして、予防内容データ「注意」に対して「振動または音声（１回のみ）」、予防内容データ「警告」に対して「振動または音声（１分毎）」、予防内容データ「他端末に警告」に対して「他端末に振動または音声（１分毎）」、予防内容データ「データ保護」に対して「データ退避または消去」がそれぞれ設定されている。
【００１６】
管理サーバ２００の記憶部２５は、ＨＤＤ等のメモリであり、事故履歴テーブルおよび状況危険コード関連テーブルがそれぞれ格納されている。
【００１７】
事故履歴テーブルは、図５に示すように、端末状況データ毎に、盗難、紛失等の事故内容を示す事故内容データ、事故の件数を示す事故件数データ、事故の平均被害額を示す平均被害額データが対応づけられたテーブルであり、各事故内容データ、事故件数データ、平均被害額データは、適時更新される。
【００１８】
また、状況危険コード関連テーブルは、図６に示すように、端末状況データ毎に、予め設定される端末状況データと事故内容データとの対応確度を示す認識確度データ、危険コードデータ、事故内容データが対応づけられたテーブルであり、後述するように事故履歴テーブルが更新される毎に危険コードが設定される。
【００１９】
以下、本実施例のセキュリティ予防システムにおける携帯端末１００および管理サーバ２００の相互関連を説明する。
【００２０】
まず、携帯端末１００により予防すべき事故に応じて予防動作が行われるまでの説明を行う。
【００２１】
携帯端末１００の制御部１は、いわゆるＣＰＵとして携帯端末１００を統括制御する部であり、例えば、「５分毎」等の携帯端末１００のおかれている現状を検出するタイミングを示す検出タイミングデータを図示しないメモリに保持している。この制御部１は、検出タイミングデータに基づいて定期的に現状検知部２に現状の検出を指示する現状検出信号を出力している。
【００２２】
現状検知部２は、携帯端末１００のおかれている現状を示す状況特徴データを取得する部であり、現状検出信号を受ける毎に、図示しない加速度センサーおよびマイクロフォンを起動し、加速度および音量を示す状況特徴データを取得する。尚、加速度センサーおよびマイクロフォンを常時作動させておき、加速度および音量が予め設定されている一定レベルを超えると、現状検知部２が状況特徴データを取得するようにしてもよい。
【００２３】
また、現状検知部２は、図示しないメモリに保持された確認通信プログラムを常時実行し、他携帯端末３００から定期的に送信される確認信号を受信できない場合、携帯端末１００と他携帯端末３００との距離が一定以上離れたことを検知し、携帯端末１００と他携帯端末３００との距離が一定以上離れたことを示す状況特徴データを取得する。
【００２４】
また、現状検知部２は、図示しないメモリに保持されているウイルス検出プログラムを常時実行し、受信データからウイルスが検出された場合、ウイルスの検出されたことを示す状況特徴データを取得する。
【００２５】
また、現状検知部２は、図示しない生体認証部がユーザの生体認証に失敗すると、生体認証が失敗したことを示す状況特徴データを取得する。
【００２６】
さらに、現状検知部２は、後述する作動制御部７に対して遠隔操作によりセキュリティ対策が指示された場合、セキュリティ対策が遠隔指示されたことを示す状況特徴データを取得する。
【００２７】
状況判定部３は、予防すべき事故に関連する状況か否かを判定する部であり、図示しないメモリに端末状況データ毎に状況特徴データが対応づけられた端末状況判定テーブルを保持している（図９参照）。
【００２８】
本実施例では、端末状況判定テーブルとして、例えば、端末状況データ「自宅等の静かな場所」に対して加速度「０」および音量「３」を示す状況特徴データ、端末状況データ「電車に乗った」に対して加速度「５」および音量「５」を示す状況特徴データ、端末状況データ「騒がしい」に対して加速度「０」および音量「１０」を示す状況特徴データ、端末状況データ「ユーザ所有の他端末との距離が一定以上離れた」に対して携帯端末１００と他携帯端末３００との距離が一定以上離れたことを示す状況特徴データ、端末状況データ「ウイルスが見つかった」に対してウイルスが検出されたことを示す状況特徴データ、端末状況データ「生体認証に失敗した」に対して生体認証に失敗したことを示す状況特徴データ、「遠隔から明示的にセキュリティ対策が実施された」に対してセキュリティ対策が遠隔指示されたことを示す状況特徴データがそれぞれ含まれている。尚、一定時間の加速度、音量の時系列変化の特徴により判定してもよい。
【００２９】
状況判定部３は、現状検知部２が状況特徴データを取得すると、状況特徴データに基づいて、図示しないメモリの端末状況判定テーブルを検索し、状況特徴データに対応する端末状況データが存在していると、予防すべき状況であることを検知し、検索された端末状況データを危険コード特定部４に転送する。この際、状況判定部３は、端末状況データが検索される毎に履歴として、検索された端末状況データを図示しないメモリに保持していく。
【００３０】
ここで、本実施例において、状況判定部３が端末状況データを特定するまでについて説明する。
【００３１】
例えば、現状検知部２が加速度「５」および音量「５」を示す状況特徴データを取得すると、状況特徴データに基づいて、メモリの端末状況判定テーブルを検索し、状況特徴データに対応する端末状況データ「電車に乗った」が存在することから、予防すべき状況であることを検知し、検索された端末状況データ「電車に乗った」を危険コード特定部４に転送する。
【００３２】
また、現状検知部２が加速度「０」および音量「１０」を示す状況特徴データを取得すると、状況特徴データに基づいて、メモリの端末状況判定テーブルを検索し、状況特徴データに対応する端末状況データ「騒がしい」が存在することから、予防すべき状況であることを検知し、検索された端末状況データ「騒がしい」を危険コード特定部４に転送する。
【００３３】
また、現状検知部２が携帯端末１００と他携帯端末３００との距離が一定以上離れたことを示す状況特徴データを取得すると、状況特徴データに基づいて、メモリの端末状況判定テーブルを検索し、状況特徴データに対応する端末状況データ「ユーザ所有の他端末との距離が一定以上離れた」が存在することから、予防すべき状況であることを検知し、検索された端末状況データ「ユーザ所有の他端末との距離が一定以上離れた」を危険コード特定部４に転送する。
【００３４】
また、現状検知部２がウイルス検出されたことを示す状況特徴データを取得すると、状況特徴データに基づいて、メモリの端末状況判定テーブルを検索し、状況特徴データに対応する端末状況データ「ウイルスが見つかった」が存在することから、予防すべき状況であることを検知し、検索された端末状況データ「ウイルスが見つかった」を危険コード特定部４に転送する。
【００３５】
また、現状検知部２が生体認証の失敗したことを示す状況特徴データを取得すると、状況特徴データに基づいて、メモリの端末状況判定テーブルを検索し、状況特徴データに対応する端末状況データ「生体認証に失敗した」が存在することから、予防すべき状況であることを検知し、検索された端末状況データ「生体認証に失敗した」を危険コード特定部４に転送する。
【００３６】
さらに、現状検知部２が遠隔からセキュリティ対策が指示されたことを示す状況特徴データを取得すると、状況特徴データに基づいて、メモリの端末状況判定テーブルを検索し、状況特徴データに対応する端末状況データ「遠隔から明示的にセキュリティ対策が実施された」が存在することから、予防すべき状況であることを検知し、検索された端末状況データ「遠隔から明示的にセキュリティ対策が実施された」を危険コード特定部４に転送する。
【００３７】
危険コード特定部４は、特定された端末状況データに基づいた危険コードを特定する部であり、端末状況データを受けると、記憶部８の危険コードテーブルを参照し、端末状況データに対応する危険コードを特定する。
【００３８】
ここで、本実施例において、危険コード特定部４が危険コードを特定するまでについて説明する。
【００３９】
例えば、状況判定部３より端末状況データ「電車に乗った」を受けると、危険コード特定部４は、端末状況データ「電車に乗った」に基づいて、記憶部８の危険コードテーブルを参照し、端末状況データ「電車に乗った」に対応する危険コード「１」を特定する。
【００４０】
また、状況判定部３より端末状況データ「騒がしい」を受けると、危険コード特定部４は、端末状況データ「騒がしい」に基づいて、記憶部８の危険コードテーブルを参照し、端末状況データ「騒がしい」に対応する危険コード「２」を特定する。
【００４１】
また、状況判定部３より端末状況データ「ユーザ所有の他端末との距離が一定以上離れた」を受けると、危険コード特定部４は、端末状況データ「ユーザ所有の他端末との距離が一定以上離れた」に基づいて、記憶部８の危険コードテーブルを参照し、端末状況データ「ユーザ所有の他端末との距離が一定以上離れた」に対応する危険コード「３」を特定する。
【００４２】
また、状況判定部３より端末状況データ「ウイルスが見つかった」を受けると、危険コード特定部４は、端末状況データ「ウイルスが見つかった」に基づいて、記憶部８の危険コードテーブルを参照し、端末状況データ「ウイルスが見つかった」に対応する危険コード「４」を特定する。
【００４３】
また、状況判定部３より端末状況データ「生体認証に失敗した」を受けると、危険コード特定部４は、端末状況データ「生体認証に失敗した」に基づいて、記憶部８の危険コードテーブルを参照し、端末状況データ「生体認証に失敗した」に対応する危険コード「５」を特定する。
【００４４】
さらに、状況判定部３が端末状況データ「遠隔から明示的にセキュリティ対策が実施された」を受けると、危険コード特定部４は、端末状況データ「遠隔から明示的にセキュリティ対策が実施された」に基づいて、記憶部８の危険コードテーブルを参照し、端末状況データ「遠隔から明示的にセキュリティ対策が実施された」に対応する危険コード「５」を特定する。
【００４５】
予防内容特定部５は、危険コードに基づいた予防内容データを特定する部であり、危険コード特定部４が危険コードを特定すると、危険コードに基づいて、記憶部８の予防内容テーブルを参照し、対応する予防内容データを特定する。
【００４６】
ここで、本実施例において、予防内容特定部５が予防内容データを特定するまでについて説明する。
【００４７】
予防内容特定部５は、危険コード特定部４が危険コード「１」を特定すると、危険コード「１」に基づいて、記憶部８の予防内容テーブルを参照し、対応する予防内容データ「注意」を特定する。
【００４８】
また、予防内容特定部５は、危険コード特定部４が危険コード「２」を特定すると、危険コード「２」に基づいて、記憶部８の予防内容テーブルを参照し、対応する予防内容データ「警告」を特定する。
【００４９】
また、予防内容特定部５は、危険コード特定部４が危険コード「３」を特定すると、危険コード「３」に基づいて、記憶部８の予防内容テーブルを参照し、対応する予防内容データ「他端末に警告」を特定する。
【００５０】
また、予防内容特定部５は、危険コード特定部４が危険コード「４」を特定すると、危険コード「４」に基づいて、記憶部８の予防内容テーブルを参照し、対応する予防内容データ「警告かつ危険状況通知」を特定する。
【００５１】
さらに、予防内容特定部５は、危険コード特定部４が危険コード「５」を特定すると、危険コード「５」に基づいて、記憶部８の予防内容テーブルを参照し、対応する予防内容データ「データ保護かつ危険状況通知」を特定する。
【００５２】
指示特定部６は、予防内容データに基づいた予防指示データを特定する部であり、予防内容特定部５が予防内容データを特定すると、予防内容データに基づいて、記憶部８の予防指示テーブルを参照し、対応する指示データを特定する。
【００５３】
ここで、本実施例において、指示特定部６が指示データを特定するまでについて説明する。
【００５４】
指示特定部６は、予防内容特定部５が予防内容データ「注意」を特定すると、予防内容データ「注意」に基づいて、記憶部８の予防指示テーブルを参照し、対応する指示データ「振動または音声（１回のみ）」を特定する。
【００５５】
また、指示特定部６は、予防内容特定部５が予防内容データ「警告」を特定すると、予防内容データ「警告」に基づいて、記憶部８の予防指示テーブルを参照し、対応する指示データ「振動または音声（１分毎）」を特定する。
【００５６】
また、指示特定部６は、予防内容特定部５が予防内容データ「他端末に警告」を特定すると、予防内容データ「他端末に警告」に基づいて、記憶部８の予防指示テーブルを参照し、対応する指示データ「他端末に振動または音声（１分毎）」を特定する。本実施例において、他端末として他携帯端末３００が用いられ、この他携帯端末３００は、後述するように、指示データ「他端末に振動または音声（１分毎）」に基づいて音声出力および振動のいずれかを行う機能を有している。
【００５７】
また、指示特定部６は、予防内容特定部５が予防内容データ「警告かつ危険状況通知」を特定すると、予防内容データ「警告かつ危険状況通知」に基づいて、記憶部８の予防指示テーブルを参照し、対応する指示データ「振動または音声（１分毎）かつ端末状況データをサーバに送信」を特定する。
【００５８】
さらに、指示特定部６は、予防内容特定部５が予防内容データ「データ保護かつ危険状況通知」を特定すると、予防内容データ「データ保護かつ危険状況通知」に基づいて、記憶部８の予防指示テーブルを参照し、対応する指示データ「データ退避または消去かつ端末状況データをサーバに送信」を特定する。
【００５９】
制御部１は、指示特定部６が指示データを特定すると、指示データを作動制御部７に転送する。
【００６０】
作動制御部７は、指示データに基づいて事故の予防動作の指示を行う部であり、指示データを受けると、指示データに基づいて作動部に対し予防動作の実行を指示する。本実施例において作動部はスピーカ等の音声出力部、振動部、データ保護部のいずれかとする。
【００６１】
ここで、本実施例において、作動制御部７が指示データに基づいた指示により予防動作が実行されるまでについて説明する。
【００６２】
作動制御部７は、指示データ「振動または音声（１回のみ）」を受けると、周囲の騒音状況に応じた注意を行うために、まず、図示しないマイクロフォンを起動し、音量の大きさを示す音量データを取得させ、図示しないメモリに保持された基準音量データと比較する。そして、音量データが大きいと、ユーザに対して携帯端末１００の振動にて注意を喚起させるべく、図示しない振動部に対して、１回の振動指示を行い、該振動指示を受けた振動部は、振動を１回実行する。
【００６３】
一方、音量データが小さいと、作動制御部７は、ユーザに対して音声にて注意を喚起させるべく、図示しないスピーカ等の音声出力部に対して、１回の注意音声の出力指示を行い、該出力指示を受けた音声出力部は、図示しないメモリに保持された注意音声データに基づいて注意音声を１回出力する。
【００６４】
また、作動制御部７は、指示データ「振動または音声（１分毎）」を受けると、周囲の騒音状況に応じた警告を行うために、上記同様に、図示しないマイクロフォンを起動し、音量の大きさを示す音量データを取得させ、図示しないメモリに保持された基準音量データと比較する。そして、音量データが大きいと、ユーザに対して携帯端末１００の振動にて警告を喚起させるべく、図示しない振動部に対して、１分毎の振動指示を行い、該振動指示を受けた振動部は、ユーザより警告解除指示があるまで１分毎に振動を繰り返す。
【００６５】
一方、音量データが小さいと、作動制御部７は、ユーザに対して音声にて警告を喚起させるべく、図示しないスピーカ等の音声出力部に対して、１分毎の警告音声の出力指示を行い、該出力指示を受けた音声出力部は、ユーザより警告解除指示があるまで図示しないメモリに保持された警告音声データに基づく警告音声を１分毎に繰り返し出力する。
【００６６】
また、作動制御部７は、指示データ「他端末に振動または音声（１分毎）」を受けると、他携帯端末３００に対して周囲の騒音状況に応じた警告を行うために、上記同様に、図示しないマイクロフォンを起動し、音量の大きさを示す音量データを取得させ、図示しないメモリに保持された基準音量データと比較する。そして、音量データが大きいと、ユーザに対して、他携帯端末３００の振動にて警告を喚起させるべく、他携帯端末３００の図示しない振動部に対して、１分毎の振動指示信号を送信し、該振動指示信号を受けた他携帯端末３００の振動部は、ユーザより警告解除指示があるまで１分毎に振動を繰り返す。
【００６７】
一方、音量データが小さいと、作動制御部７は、ユーザに対して、他携帯端末３００からの音声にて警告を喚起させるべく、他携帯端末３００の図示しないスピーカ等の音声出力部に対して、１分毎の警告音声の出力指示を行い、該出力指示を受けた音声出力部は、ユーザより警告解除指示があるまで図示しないメモリに保持された警告音声データに基づく警告音声を１分毎に繰り返し出力する。
【００６８】
また、作動制御部７は、指示データ「振動または音声（１分毎）かつ端末状況データをサーバに送信」を受けると、まず、上記同様に携帯端末１００への警告を行い、引き続き、作動制御部７は、図示しない通知部に対して、危険状況通知としてメモリに保持されている端末状況データを管理サーバ２００に送信するように指示する。
【００６９】
該指示を受けた通知部は、図示しないメモリの最新の端末状況データおよび前回保存された端末状況データを管理サーバ２００に送信する。そして、管理サーバ２００は、後述するように記憶部２５の事故履歴テーブルの更新を行う。
【００７０】
また、作動制御部７は、指示データ「データ退避または消去かつ端末状況データをサーバに送信」を受けると、まず、携帯端末１００のメモリに格納されているデータの退避を行うべく、データ保護部９に対してデータ退避指示を行う。
【００７１】
データ保護部９は、指示に応じて、データ退避または消去を行う部であり、退避指示を受けると、メモリに格納されているデータを退避データとして管理サーバ２００に送信する。
【００７２】
管理サーバ２００の制御部２０は、いわゆるＣＰＵとして管理サーバ２００を統括制御する部であり、退避データを受信すると、退避データをデータ保護部２６に転送する。
【００７３】
データ保護部２６は、携帯端末１００より受信した退避データを保護する部であり、退避データを受けると、退避データを退避データ記憶部２７に格納する。
【００７４】
制御部２０は、データ保護部２６が退避データの格納を完了すると、退避完了信号を携帯端末１００に送信する。
【００７５】
携帯端末１００の制御部１は、退避完了信号を受信すると、退避完了信号を作動制御部７に転送する。
【００７６】
作動制御部７は、退避完了信号を受けると、データ退避が完了したことを検知し、データ保護処理を完了する。
【００７７】
一方、作動制御部７は、一定時間が経過しても退避完了信号を受けない場合、データ退避に失敗したと判定し、データ保護部９に対してデータ消去指示を行い、消去指示を受けたデータ保護部９は、メモリに格納されているデータを消去し、データ保護処理を完了する。
【００７８】
引き続き、作動制御部７は、図示しない通知部に対して、危険状況通知としてメモリに保持されている端末状況データを管理サーバ２００に送信するように指示する。
【００７９】
該指示を受けた通知部は、図示しないメモリの最新の端末状況データおよび前回保存された端末状況データを管理サーバ２００に送信する。そして、管理サーバ２００は、後述するように記憶部２５の事故履歴テーブルの更新を行う。
【００８０】
次に、管理サーバ２００によって、事故履歴テーブルが更新され、該更新された事故履歴テーブルにより状況危険コード関連テーブルの危険コードが設定されるまでの説明を行う。
【００８１】
管理サーバ２００の制御部２０は、携帯端末１００から危険状況通知として最新の端末状況データおよび前回保存された端末状況データが送信される毎に、両端末状況データをテーブル更新部２１に転送する。
【００８２】
テーブル更新部２１は、事故履歴テーブルの更新を行う部であり、両端末状況データを受けると、最新の端末状況データに基づいて、状況危険コード関連テーブルを参照し、最新の端末状況データに一致する端末状況データに対応する事故内容データを特定し、特定された事故内容データおよび前回保存された端末状況データに基づいて、事故履歴テーブルに含まれる事故内容データの更新を行う（図７参照）。
【００８３】
また、テーブル更新部２１は、図示しない携帯電話事業者等から端末状況データ、事故内容データ、事故件数データ、被害額データ、携帯端末の販売総数を示す販売総数データを含む事故事例情報が送信される毎に、事故事例情報に基づいて事故履歴テーブルに含まれる各データの更新を行う。この際、テーブル更新部２１は、販売総数データを図示しないメモリに保持する。
【００８４】
危険コード設定部２２は、状況危険コード関連テーブルの各端末状況データに危険コードを設定する部であり、将来受ける可能性のある予測被害額を示す予防値を算出するための下記予防値算出式を図示しないメモリに保持している。
【００８５】
予防値算出式＝Ａ×（Ｂ／Ｃ）×Ｄ・・・（１）
【００８６】
但し、Ａ：端末状況データ毎の平均被害額
Ｂ：端末状況データ毎の事故件数
Ｃ：携帯端末の販売総数
Ｄ：端末状況データ毎の認識確度
【００８７】
危険コード設定部２２は、事故履歴テーブルが更新されると、更新された事故履歴テーブルに含まれる端末状況データ毎の平均被害額データ、事故件数データ、状況危険コード関連テーブルに含まれる端末状況データ毎の認識確度データ、メモリに保持された販売総数データをそれぞれ取得すると共に、取得した各データを上記式（１）に適用し、端末状況データ毎の予防値を算出すると共に、低い予防値が算出された端末状況データから順番に危険コード「１」〜「５」を設定していく。
【００８８】
このように、危険コード設定部２２によって状況危険コード関連テーブルの更新が定期的に実施されることから、各端末状況データに対して常に最新の事故事情を反映した最適な危険コードが設定される。
【００８９】
次に、携帯端末１００からの指示により記憶部８の危険コードテーブルが更新されるまでの説明を行う。
【００９０】
ユーザが携帯端末１００の図示しない入力部を介して危険コードテーブルの更新指示を行うと、携帯端末１００の制御部１は、更新指示信号を管理サーバ２００に送信する。
【００９１】
管理サーバ２００の制御部２０は、更新指示信号を受信すると、更新指示信号をテーブル作成部２３に転送する。
【００９２】
テーブル作成部２３は、最新の事故状況事情を反映した更新危険コードテーブルを作成する部であり、更新指示信号を受けると、記憶部２５の状況危険コード関連テーブルを参照し、端末状況データ毎の危険コードデータに基づいて更新危険コードテーブルを作成する。
【００９３】
制御部２０は、テーブル作成部２３が更新危険コードテーブルを作成すると、作成された更新危険コードテーブルを通信部２４に転送する。
【００９４】
通信部２４は、更新危険コードテーブルを送信する部であり、更新危険コードテーブルを受けると、更新危険コードテーブルを携帯端末１００に送信する。
【００９５】
携帯端末１００の制御部１は、更新危険コードテーブルを受信すると、更新危険コードテーブルを危険コード更新部１０に転送する。
【００９６】
危険コード更新部１０は、記憶部８に格納された危険コードテーブルを更新する部であり、更新危険コードテーブルを受けると、記憶部８に格納されている危険コードテーブルを更新危険コードテーブルにより更新する。これにより、携帯端末１００は、最新の事故事情を反映した危険コードテーブルに基づく信頼度の高い予防動作を実施できる。
【００９７】
本実施例では、携帯端末１００からの指示により危険コードテーブルが更新されるまでを説明したが、携帯端末１００からの指示がなくても管理サーバ２００から直接携帯端末１００に危険コードテーブルを配信する方法も考えられる。
【００９８】
〈実施例の動作〉
以下、本実施例における事故予防システムの予防動作について説明を行う。
【００９９】
本実施例では、上記したように、管理サーバ２００によって記憶部２５の事故履歴テーブルおよび状況危険コード関連テーブルが適時更新されているこことする。
【０１００】
図８は、本実施例の事故予防システムの予防動作フローチャートである。本動作説明では、携帯端末１００を持参したユーザが予防すべき事故に関連する端末状況である電車に乗ることで、携帯端末１００により事故の予防動作「注意」が実行されるまでの説明を行う。
【０１０１】
携帯端末１００の制御部１は、図示しないメモリに保持された検出タイミングデータに基づいて定期的に現状検知部２に現状の検出を指示する現状検出信号を出力している。
【０１０２】
現状検知部２は、現状検出信号を受ける毎に、図示しない加速度センサーおよびマイクロフォンを起動し、加速度「５」および音量「５」を示す状況特徴データを取得する（Ｓ１）。
【０１０３】
状況判定部３は、現状検知部２が加速度「５」および音量「５」を示す状況特徴データを取得すると、状況特徴データに基づいて、図示しないメモリの端末状況判定テーブルを検索し（Ｓ２）、状況特徴データに対応する端末状況データ「電車に乗った」が存在することから、予防すべき状況であることを検知し（Ｓ３）、検索された端末状況データ「電車に乗った」を危険コード特定部４に転送する。
【０１０４】
危険コード特定部４は、端末状況データ「電車に乗った」を受けると、端末状況データ「電車に乗った」に基づいて、記憶部８の危険コードテーブルを参照し、端末状況データ「電車に乗った」に対応する危険コード「１」を特定する（Ｓ４）。
【０１０５】
予防内容特定部５は、危険コード特定部４が危険コード「１」を特定すると、危険コード「１」に基づいて、記憶部８の予防内容テーブルを参照し、対応する予防内容データ「注意」を特定する（Ｓ５）。
【０１０６】
指示特定部６は、予防内容特定部５が予防内容データ「注意」を特定すると、予防内容データ「注意」に基づいて、記憶部８の予防指示テーブルを参照し、対応する指示データ「振動または音声（１回のみ）」を特定する（Ｓ６）。
【０１０７】
制御部１は、指示特定部６が指示データ「振動または音声（１回のみ）」を特定すると、指示データ「振動または音声（１回のみ）」を作動制御部７に転送する。
【０１０８】
作動制御部７は、指示データ「振動または音声（１回のみ）」を受けると、周囲の騒音状況に応じた注意を行うために、まず、図示しないマイクロフォンを起動し、音量の大きさを示す音量データを取得させ、図示しないメモリに保持された基準音量データと比較する。そして、音量データが大きいと、ユーザに対して携帯端末１００の振動にて注意を喚起させるべく、図示しない振動部に対して１回のみ振動するように指示を行い（Ｓ７）、該指示を受けた振動部は、１回のみ振動を実行する（Ｓ８）。
【０１０９】
一方、音量データが小さいと、作動制御部７は、ユーザに対して音声にて注意を喚起させるべく、図示しないスピーカ等の音声出力部に対して、１回のみ注意音声を出力するように出力指示を行い（Ｓ７）、該出力指示を受けた音声出力部は、図示しないメモリに保持された注意音声データに基づいて注意音声を１回出力する（Ｓ８）。
【０１１０】
これにより、予防すべき事故に関連する状況にある携帯端末１００のユーザに対して、事前に予防として注意、警告等を行うことができる。
【０１１１】
〈実施例の効果〉
本実施例の事故予防システムでは、携帯端末１００の予防すべき事故に関連する端末状況データ毎に危険度を示す危険コードが対応した危険コードテーブルと、危険コード毎に事故予防内容を示す予防内容データが対応した予防内容テーブルと、予防内容データ毎に予防動作を実行するための指示データが対応した予防指示テーブルとを設け、携帯端末１００の現状を検知し、検知した現状が端末状況データのいずれかを判定し、判定された端末状況データに基づいて危険コードテーブルから危険コードを特定し、該危険コードに基づいて予防内容テーブルから予防内容データを特定し、該予防内容データに基づいて予防指示テーブルから指示データを特定し、該指示データに基づく予防動作を行わせるようにしたので、予防すべき事故に関連する状況にある携帯端末１００のユーザに対して、事前に予防として注意、警告等を行うことができる。従って、ユーザの携帯端末１００に盗難等の被害が発生するのを未然に防止することができる。
【図面の簡単な説明】
【０１１２】
【図１】本発明の事故予防システムを示すブロック構成図
【図２】危険コードテーブルの例示図
【図３】予防内容テーブルの例示図
【図４】予防指示テーブルの例示図
【図５】事故履歴テーブルの例示図
【図６】状況危険コード関連テーブルの例示図
【図７】事故履歴テーブルの更新説明図
【図８】本実施例の事故予防システムの予防動作フローチャート
【図９】端末状況判定テーブルの例示図
【符号の説明】
【０１１３】
１  制御部
２  現状検知部
３  状況判定部
４  危険コード特定部
５  予防内容特定部
６  指示特定部
７  作動制御部
８  記憶部
９  データ保護部
１０  危険コード更新部
２０  制御部
２１  テーブル更新部
２２  危険コード設定部
２３  テーブル作成部
２４  通信部
２５  記憶部
２６  データ保護部
２７  退避データ記憶部
３０  確認信号通信部
１００  携帯端末
２００  管理サーバ
３００  他携帯端末
【図１】
2007028484.tif 000003
【図２】
2007028484.tif 000004
【図３】
2007028484.tif 000005
【図４】
2007028484.tif 000006
【図５】
2007028484.tif 000007
【図６】
2007028484.tif 000008
【図７】
2007028484.tif 000009
【図８】
2007028484.tif 000010
【図９】
2007028484.tif 000011